【手続補正書】
【提出日】平成26年1月27日(2014.1.27)
【手続補正１】
【補正対象書類名】特許請求の範囲
【補正対象項目名】全文
【補正方法】変更
【補正の内容】
【特許請求の範囲】
【請求項１】
イオン化可能な充填物を含む放電空間を囲むセラミック壁を有する閉じた放電容器を含むＨＩＤランプであって、電極を更に含み、前記電極の先端部は前記電極間の放電経路を規定する相互距離（ＥＡ）で前記放電空間内に位置し、前記容器は最大内径（ｄｉ）を有し、前記相互距離と前記最大内径とのアスペクト比（ＥＡ／ｄｉ）が６よりも小さい当該ＨＩＤランプと、
前記ＨＩＤランプを駆動する共鳴電子ドライバであって、前記ランプに交流電流を供給し、電流周波数を決定する制御デバイスを含む当該共鳴電子ドライバと
を有するＨＩＤ照明システムであって、
前記ランプは、少なくとも１つのアーク形成音響共鳴周波数及び好ましくない音響共鳴周波数を含む周波数スペクトルを有し、
前記ドライバは、正常動作中、ランプ電流が１０ｋＨｚから２００ｋＨｚの範囲内の比較的広いパワースペクトルを有するように前記ランプに周波数変調ランプ電流を供給し、前記パワースペクトルは、前記アーク形成音響共鳴周波数と一致する有効な電力の振幅を含む一方で、前記好ましくない音響共鳴周波数と一致する専ら非有効な電力の振幅を有し、前記有効な電力の振幅は対応する共鳴を引き起こすのに十分高い一方、前記非有効な電力の振幅は対応する共鳴を引き起こさないほど低いことを特徴とする、当該ＨＩＤ照明システム。
【請求項２】
前記パワースペクトルが前記好ましくない音響共鳴周波数を排除している、請求項１記載のＨＩＤ照明システム。
【請求項３】
前記アーク形成音響共鳴周波数がアーク直線化音響共鳴周波数であり、前記アークは前記ランプの向きにかかわらず直線形状を有する、請求項１記載のＨＩＤ照明システム。
【請求項４】
前記ドライバが共鳴ハーフブリッジを有する、請求項１記載のＨＩＤ照明システム。
【請求項５】
前記周波数変調ランプ電流の変調が周波数掃引を含む及び／又は前記変調が正弦波形状の関数に従って行われる、請求項１記載のＨＩＤ照明システム。
【請求項６】
前記ドライバは整流電源により電力を供給され、前記周波数変調ランプ電流の変調は、前記整流電源のリップルが低い時は電流周波数が低く、リップルが高い時は電流周波数が高いようにリップルと同期して行われる、請求項１記載のＨＩＤ照明システム。
【請求項７】
前記アスペクト比が３よりも小さい、請求項１記載のＨＩＤ照明システム。
【請求項８】
前記アスペクト比が１から３の間である、請求項１記載のＨＩＤ照明システム。
【請求項９】
前記ランプがメタルハライドランプであり、前記放電空間が不活性ガス及び塩を含み、前記塩は、好ましくは、ハロゲン化ナトリウム、ハロゲン化タリウム並びにジスプロシウム、ホルミウム及びツリウムの１つ又はそれ以上のハロゲン化物を有し、より好ましくは、前記塩は、ナトリウム、タリウム並びにジスプロシウム、ホルミウム及びツリウムの少なくとも１つのヨウ化物を有する、請求項１記載のＨＩＤ照明システム。
【請求項１０】
前記不活性ガスがキセノンを有する、請求項９記載のＨＩＤ照明システム。
【請求項１１】
前記塩がタングステンのサイクルを可能にする、請求項９記載のＨＩＤ照明システム。
【請求項１２】
前記塩が、ＮａＩ、ＴｌＩ、ＣａＩ２及びＸのヨウ化物を有するイオン化可能な塩であり、Ｘは、Ｌａ、Ｓｃ、Ｙ及び希土類金属を有する群から選択される１つ又はそれ以上の元素である、請求項９記載のＨＩＤ照明システム。
【請求項１３】
前記ランプはメタルハライドランプであり、前記イオン化可能なガス充填物は、ＬｉＩ、ＮａＩ、ＫＩ、ＲｂＩ、ＣｓＩ、ＭｇＩ２、ＣａＩ２、ＳｒＩ２、ＢａＩ２、ＳｃＩ３、ＹＩ３、ＬａＩ３、ＣｅＩ３、ＰｒＩ３、ＮｄＩ３、ＳｍＩ２、ＥｕＩ２、ＧｄＩ３、ＴｂＩ３、ＤｙＩ３、ＨｏＩ３、ＥｒＩ３、ＴｍＩ３、ＹｂＩ２、ＬｕＩ３、ＩｎＩ、ＴｌＩ、ＳｎＩ２及びＺｎＩ２よりなる群から選択される１つ又はそれ以上の成分を有し、μｇ／ｃｍ３で表される前記放電容器内の各成分の濃度ｈが
ｌｏｇｈ＝Ａ／Ｔｃｓ２＋Ｂ／Ｔｃｓ＋Ｃ＋ｌｏｇｚ
の式を満たし、Ｔｃｓは、前記ランプの公称動作中のケルビンで表される前記放電容器内の最低の最冷スポット温度であり、Ｔｃｓは少なくとも１２００Ｋであり、ｚは０．００１と２との間であり、Ａ、Ｂ及びＣは以下のように、すなわち、
成分        A*10-6      B*10-3      C
LiI         -0.51       -5.88       7.16
NaI         -1.30       -5.82       6.99
KI          -2.51       -3.48       5.66
RbI         -2.04       -4.95       6.48
CsI         -1.40       -5.72       7.13
MgI2        -1.92       -4.40       8.20
CaI2        -3.45       -5.99       6.83
SrI2        -1.99       -9.33       8.05
BaI2        -2.15       -10.00      8.47
ScI3        -17.70      18.76       0.16
YI3         -7.96       0.43        6.41
LaI3        -4.24       -4.66       6.98
CeI3        -3.15       -7.37       9.36
PrI3        -1.98       -7.86       8.43
NdI3        -4.29       -4.42       6.58
SmI2        -1.62       -11.20      9.71
EuI2        -1.95       -10.50      8.95
GdI3        -9.69       4.26        3.62
TbI3        -9.41       4.09        3.59
DyI3        -11.90      6.42        4.68
HoI3        -9.48       3.15        5.61
ErI3        -12.10      6.54        5.46
TmI3        -3.12       -5.25       7.64
YbI2        -1.33       -10.10      8.45
LuI3        -9.00       3.37        5.38
InI         -1.30       -2.02       6.11
TlI         -1.36       -2.92       7.01
SnI2        -1.99       -1.14       6.39
ZnI2        -2.58       0.65        5.23
と規定される、請求項１記載のＨＩＤ照明システム。
【請求項１４】
光を生成する方法であって、
イオン化可能な充填物を含む放電空間を囲むセラミック壁を有する閉じた放電容器を含み、電極を更に含み、前記電極の先端部は前記電極間の放電経路を規定する相互距離（ＥＡ）で前記放電空間内に位置し、前記容器は最大内径（ｄｉ）を有し、前記相互距離と前記最大内径とのアスペクト比（ＥＡ／ｄｉ）が６よりも小さいＨＩＤランプを与えるステップを有する方法であって、前記ランプは、少なくとも１つのアーク形成音響共鳴周波数及び好ましくない音響共鳴周波数を含む周波数スペクトルを有し、前記方法は、更に、
電流周波数が１０ｋＨｚから２００ｋＨｚの範囲内に設定された交流電流を前記ランプに与えるステップと、
パワースペクトルを低減及び拡大する前記ランプに入力される電力の周波数変調を行うステップであって、結果として得られるパワースペクトルが、アークの形成、好ましくはアークの直線化を実現するために前記アーク形成音響共鳴周波数と一致する有効な電力の振幅を含む一方で、結果として得られるパワースペクトルが、好ましくない音響共鳴の誘発を回避するために前記好ましくない音響共鳴周波数と一致する専ら非有効な電力の振幅を有する当該ステップと
を有することを特徴とする、当該方法。